(57)【特許請求の範囲】
【請求項１】
複数の端末を収容する第１の電話交換機及びインターネットに接続されたゲートウェイであって、
前記第１の電話交換機が収容する第１の端末からの前記第１の電話交換機と異なる第２の電話交換機に収容される第２の端末への発信に基づく前記第１の電話交換機からのセットアップメッセージに基づき、前記第２の電話交換機に接続される第２のゲートウェイとの間で、制御チャネル及び前記第１及び第２の端末が通信を行うための第１の音声チャネルを開設する第１の呼制御手段と、
前記第２の端末からの前記第１の電話交換機が収容する第３の端末への転送指示に基づく前記第２の電話交換機からの前記第３の端末への転送を指示する転送先通知メッセージ及び前記第１の端末から前記第３の端末へのパス設定の最適化要求メッセージを、前記第２のゲートウェイより受信して、前記第１の電話交換機に送信するメッセージ送受信手段と、
前記第２の端末から前記第３の端末へ転送後に、前記第１の音声チャネルを解放する第２の呼制御手段と、
を具備したゲートウェイ。
【請求項２】
前記第１及び第２の電話交換機間のメッセージ通信のためのメッセージ送受信用音声チャネルを用いて、前記第２のゲートウェイとの間で通信する請求項１記載のゲートウェイ。
【請求項３】
前記メッセージ送受信用音声チャネルは、前記ゲートウェイの立ち上げの際に開設される請求項２記載のゲートウェイ。
【請求項４】
複数の端末を収容する第１の電話交換機及びインターネットに接続されたゲートウェイであって、
通信相手のゲートウェイの呼制御手順を識別するための種別を格納する制御可否テーブルと、
前記第１の電話交換機が収容する第１の端末からの前記第１の電話交換機と異なる第２の電話交換機に収容される第２の端末への発信に基づく前記第１の電話交換機からのセットアップメッセージに基づき、前記第２の電話交換機に接続される第２のゲートウェイとの間で、前記制御可否テーブルを参照して、前記第２のゲートウェイの呼制御手順を示す種別に応じて、制御チャネル及び前記第１及び第２の端末が通信を行うための第１の音声チャネルを開設する第１の呼制御手段と、
前記第２の端末からの前記第１の電話交換機が収容する第３の端末への転送指示に基づく前記第３の端末への転送を指示する転送先通知メッセージ及び前記第１の端末から前記第３の端末へのパス設定の最適化要求メッセージを、前記第２のゲートウェイより受信して、前記第１の電話交換機に送信するメッセージ送受信手段と、
前記第２の端末から前記第３の端末へ転送後に、前記第１の音声チャネルを解放する第２の呼制御手段と、
を具備したゲートウェイ。
【請求項５】
それぞれが複数の端末を収容する第１及び第２の電話交換機、インターネット、前記第１の電話交換機及び前記インターネットに接続された第１のゲートウェイ、並びに前記第２の電話交換機及び前記インターネットに接続された第２のゲートウェイを含む通信システムであって、
前記第１の電話交換機が収容する第１の端末からの前記第２の電話交換機に収容される第２の端末への発信に基づき、前記第１及び第２の端末間が通信を行うために第１及び第２の電話交換機間で呼設定を行うための呼制御メッセージを送受信する前記第１及び第２の電話交換機にそれぞれ設けられた第１の呼制御手段と、
前記呼制御メッセージに基づいて、前記第１及び第２の電話交換機間で前記インターネットを介して通信を行うために前記第１及び前記第２のゲートウェイ間で呼制御をする前記第１及び第２のゲートウェイにそれぞれ設けられた第２の呼制御手段と、
前記第２の端末からの前記第１の電話交換機が収容する第３の端末への転送指示に基づき、前記第１の電話交換機に前記第３の端末へ転送するよう指示する転送先通知メッセージ及び前記第１の端末から前記第３の端末へのパス設定の最適化要求メッセージを送信する前記第２の電話交換機に設けられた転送先通知及び最適化要求手段と、
前記転送先通知メッセージ及び前記最適化要求メッセージを前記第２の電話交換機より受信して、前記第１のゲートウェイに送信する前記第２のゲートウェイに設けられた第１のメッセージ送受信手段と、
前記転送先通知メッセージ及び前記最適化要求メッセージを前記インターネットを介して前記第２のゲートウェイより受信して、前記第１の電話交換機に送信する前記第１のゲートウェイに設けられた第２のメッセージ送受信手段と、
前記転送先通知メッセージ及び前記最適化要求メッセージを前記第１のゲートウェイより受信して、前記第１及び第３の端末間に前記第１及び第２のゲートウェイを介することなくパスを設定する前記第１の電話交換機に設けられた最適化手段と、
を具備した通信システム。
【請求項６】
それぞれが複数の端末を収容する第１及び第２の電話交換機、インターネット、前記第１の電話交換機及び前記インターネットに接続された第１のゲートウェイ、並びに前記第２の電話交換機及び前記インターネットに接続された第２のゲートウェイを含む通信システムにおける通信方法であって、
前記第１の電話交換機が収容する第１の端末からの前記第２の電話交換機に収容される第２の端末への発信に基づき、前記第１及び第２の端末間が通信を行うために第１及び第２の電話交換機間で呼設定を行うための呼制御メッセージを送受信するステップと、
前記呼制御メッセージに基づいて、前記第１及び第２の電話交換機間で前記インターネットを介して通信を行うために前記第１及び前記第２のゲートウェイ間で呼制御をするステップと、
前記第２の端末からの前記第１の電話交換機が収容する第３の端末への転送指示に基づき、前記第２の電話交換機が前記第１の電話交換機に前記第３の端末へ転送するよう指示する転送先通知メッセージ及び前記第１の端末から前記第３の端末へのパス設定の最適化要求メッセージを送信するステップと、
前記第２のゲートウェイが前記転送先通知メッセージ及び前記最適化要求メッセージを前記第２の電話交換機より受信して、前記第１のゲートウェイに送信するステップと、
前記第１のゲートウェイが前記転送先通知メッセージ及び前記最適化要求メッセージを前記インターネットを介して前記第２のゲートウェイより受信して、前記第１の電話交換機に送信するステップと、
前記第１の電話交換機が前記転送先通知メッセージ及び前記最適化要求メッセージを前記第１のゲートウェイより受信して、前記第１及び第３の端末間に前記第１及び第２のゲートウェイを介することなくパスを設定するステップと、
を具備した通信方法。
【発明の詳細な説明】
【０００１】
【発明の属する技術分野】
本発明は、ゲートウェイに関し、特に、電話交換機間をインターネット網を経由した転送系サービスに関する。
【０００２】
【従来の技術】
近年、ＬＡＮの広帯域化等をはじめとするネットワーク技術の進歩と、パーソナルコンピュータ（ＰＣ）の多機能化・ＣＰＵの高速化等をはじめとするＰＣ技術の進歩に伴い、複数のＬＡＮ上のＰＣ間で音声データを高速に通信することが実用的に可能になってきた。
【０００３】
これら技術により、従来の電話による音声の通信を、ＬＡＮ及びＷＡＮから構成されるインターネット上のＰＣ間で行うアプリケーションソフトとシステムが急速に市場に投入されている。これらシステムは、インターネットテレフォニーと称せられる。
【０００４】
また、電話網とインネット網の間でプロトコル変換を行うゲートウェイ機能を有し、電話網とインターネット網の相互の網間での通信を実現するインターネットテレフォニー・ゲートウェイが開発されている。
【０００５】
更に、インターネットテレフォニーゲートウェイを用い、従来の電話網の各交換機間をインターネットで中継するシステムは、一般に、「インターネットテレフォニーによる中抜き（バイパス）」と呼ばれる。
【０００６】
一般に、従来の電話網による電話通話よりもインターネットテレフォニーで中抜きされた電話通話の方が低価格で運用できることから、この中抜きのシステムとサービスは、急速的に普及しつつある。
【０００７】
従来、インターネットテレフォニー・ゲートウェイによる中抜きシステムでの電話交換機に収容される端末を通話中における他の電話交換機に収容される端末に転送する転送系サービスの技術は、確立されていない。
【０００８】
【発明が解決しようとする課題】
電話交換機の転送機能を使用して、単純に、インターネットテレフォニー・ゲートウェイによる中抜きシステムで転送系サービスを実施した場合、以下の問題点がある。
【０００９】
図３０は、従来の問題点を示す図である。電話交換機２＃１の内線４＃Ａと電話交換機２＃２の端末４＃Ｂが通話中に、例えば、端末４＃Ａから電話交換機２＃２の端末４＃Ｃに転送サービスを単純に実行すれば以下のようになる。
【００１０】
端末４＃Ａは、端末４＃Ｂと通話中に転送釦押下して転送先の端末４＃Ｃの番号をダイヤルする。電話交換機２＃１は、ゲートウェイ６＃１、インターネット網８及びゲートウェイ６＃２を介して、電話交換機２＃２に発信して、端末４＃Ｃを呼び出して接続する。このため、端末４＃Ａについて、端末４＃Ｂ及び端末４＃Ｃと通話するための２本のパスがインターネット上に張られることになる。
【００１１】
端末４＃Ａは、切断（オンフック）すると、電話交換機２＃１は、端末４＃Ｂを接続するパスと端末４＃Ｃを接続するパスとを接続する。これにより、電話交換機２＃２，ゲートウェイ６＃２、インターネット８、ゲートウェイ６＃１及び電話交換機２＃１を介して、端末４＃Ｂ，４＃Ｃ間の転送サービスが実施される。
【００１２】
このとき、電話交換機２＃１側と電話交換機２＃２側で不必要なインターネット回線が使用されることになりインターネット回線が無駄になる。また、端末４＃Ｂ，４＃Ｃの音声データは、ゲートウェイ６＃１とゲートウェイ６＃２の音声復号化及び音声符号化の音声コーデック制御により、インターネット８を圧縮された音声データで送受信される。前記不必要なインターネット回線が使用されることにより、ゲートウェイ６＃１とゲートウェイ６＃２間で、余分な音声コーデック制御が行われ、音質が劣化してしまうという問題がある。
【００１３】
本発明の目的は、インターネット網を経由した転送時に効果的なパス接続ができ、インターネット回線の有効利用及び無駄なＣＯＤＥＣ制御を行わないゲートウェイを提供することである。
【００１４】
【課題を解決するための手段】
本発明の第１の側面によれば、複数の端末を収容する第１の電話交換機及びインターネットに接続されたゲートウェイであって、前記第１の電話交換機が収容する第１の端末からの前記第１の電話交換機と異なる第２の電話交換機に収容される第２の端末への発信に基づく前記第１の電話交換機からのセットアップメッセージに基づき、前記第２の電話交換機に接続される第２のゲートウェイとの間で、制御チャネル及び前記第１及び第２の端末が通信を行うための第１の音声チャネルを開設する第１の呼制御手段と、前記第２の端末からの前記第１の電話交換機が収容する第３の端末への転送指示に基づく前記第２の電話交換機からの前記第３の端末への転送を指示する転送先通知メッセージ及び前記第１の端末から前記第３の端末へのパス設定の最適化要求メッセージを、前記第２のゲートウェイより受信して、前記第１の電話交換機に送信するメッセージ送受信手段と、前記第２の端末から前記第３の端末へ転送後に、前記第１の音声チャネルを解放する第２の呼制御手段とを具備したゲートウェイが提供される。
【００１６】
本発明の他の側面によれば、複数の端末を収容する第１の電話交換機及びインターネットに接続されたゲートウェイであって、通信相手のゲートウェイの呼制御手順を識別するための種別を格納する制御可否テーブルと、前記第１の電話交換機が収容する第１の端末からの前記第１の電話交換機と異なる第２の電話交換機に収容される第２の端末への発信に基づく前記第１の電話交換機からのセットアップメッセージに基づき、前記第２の電話交換機に接続される第２のゲートウェイとの間で、前記制御可否テーブルを参照して、前記第２のゲートウェイの呼制御手順を示す種別に応じて、制御チャネル及び前記第１及び第２の端末が通信を行うための第１の音声チャネルを開設する第１の呼制御手段と、前記第２の端末からの前記第１の電話交換機が収容する第３の端末への転送指示に基づく前記第３の端末への転送を指示する転送先通知メッセージ及び前記第１の端末から前記第３の端末へのパス設定の最適化要求メッセージを、前記第２のゲートウェイより受信して、前記第１の電話交換機に送信するメッセージ送受信手段と、前記第２の端末から前記第３の端末へ転送後に、前記第１の音声チャネルを解放する第２の呼制御手段とを具備したゲートウェイが提供される。
【００１７】
更に、本発明の他の側面によれば、それぞれが複数の端末を収容する第１及び第２の電話交換機、インターネット、前記第１の電話交換機及び前記インターネットに接続された第１のゲートウェイ、並びに前記第２の電話交換機及び前記インターネットに接続された第２のゲートウェイを含む通信システムであって、前記第１の電話交換機が収容する第１の端末からの前記第２の電話交換機に収容される第２の端末への発信に基づき、前記第１及び第２の端末間が通信を行うために第１及び第２の電話交換機間で呼設定を行うための呼制御メッセージを送受信する前記第１及び第２の電話交換機にそれぞれ設けられた第１の呼制御手段と、前記呼制御メッセージに基づいて、前記第１及び第２の電話交換機間で前記インターネットを介して通信を行うために前記第１及び前記第２のゲートウェイ間で呼制御をする前記第１及び第２のゲートウェイにそれぞれ設けられた第２の呼制御手段と、前記第２の端末からの前記第１の電話交換機が収容する第３の端末への転送指示に基づき、前記第１の電話交換機に前記第３の端末へ転送するよう指示する転送先通知メッセージ及び前記第１の端末から前記第３の端末へのパス設定の最適化要求メッセージを送信する前記第２の電話交換機に設けられた転送先通知及び最適化要求手段と、前記転送先通知メッセージ及び前記最適化要求メッセージを前記第２の電話交換機より受信して、前記第１のゲートウェイに送信する前記第２のゲートウェイに設けられた第１のメッセージ送受信手段と、前記転送先通知メッセージ及び前記最適化要求メッセージを前記インターネットを介して前記第２のゲートウェイより受信して、前記第１の電話交換機に送信する前記第１のゲートウェイに設けられた第２のメッセージ送受信手段と、前記転送先通知メッセージ及び前記最適化要求メッセージを前記第１のゲートウェイより受信して、前記第１及び第３の端末間に前記第１及び第２のゲートウェイを介することなくパスを設定する前記第１の電話交換機に設けられた最適化手段とを具備した通信システムが提供される。
【００１８】
【発明の実施の形態】
本発明の実施形態について説明する前に、まず本発明の原理を説明する。図１は、本発明の原理図である。図１に示すように、ゲートウェイ１８は、複数の端末１２＃ｉ（ｉ＝１〜Ｎ）を収容し、パス最適化要求の第１メッセージに基づいて、ルーチングオプティマイゼーション処理をする電話交換機１４とインターネット１６に接続されている。
【００１９】
ゲートウェイ１８は、接続される電話交換機から送信された着信電話交換機の発信特番及び着信端末の電話番号を含む呼設定を要求する第２メッセージに基づいて、着信相手の発信特番に対応するゲートウェイのＩＰアドレスを決定し、該ＩＰアドレスを使用して、呼設定を要求する第３メッセージをインターネット１６を通して、通信相手の第２ゲートウェイに送信して、該第２ゲートウェイとの間で制御チャネルを開設する呼設定手段を具備する。
【００２０】
そして、接続される電話交換機から送信された第４メッセージを制御チャネルを使用して送信されるメッセージに設定して、インターネット１６を通して、通信相手の第２ゲートウェイに送信する第１メッセージ送信手段２４と、電話交換機から送出された第５メッセージが設定されたメッセージ制御チャネルから受信すると、該第５メッセージを抽出して接続された電話交換機に送信する第２メッセージ送信手段２６とを具備する。
【００２１】
更に、第２メッセージに対する着信先の電話交換機から応答を示す第６メッセージが設定されたメッセージを制御チャネルから受信すると、発信元の端末と着信先の端末との間で通話をするための音声チャネルを開設する音声チャネル開設手段２８と、解放を指示する第７メッセージが設定されたメッセージを制御チャネルから受信すると、該制御チャネル及び音声チャネルを解放するチャネル解放手段３０とを具備する。
【００２２】
以上のような構成によれば、例えば、端末１２＃１が着信電話交換機の発信特番＋着信端末の電話番号をダイヤルしたとする。電話交換機１４は、発信特番＋着信端末の電話番号を設定した呼設定要求をする第２メッセージをゲートウェイ１８に送信する。
【００２３】
呼設定手段２２は、第２メッセージに設定された発信特番に従って、着信電話交換機に接続される着信ゲートウェイのＩＰアドレスを決定する。そして、ＩＰアドレスを使用して、呼設定を要求する第３メッセージを、インターネット１６を通して、着信ゲートウェイに送信して、制御チャネルを開設する。
【００２４】
電話交換機からは、パス最適化要求の第１メッセージや解放要求の複数のメッセージがゲートウェイ１８に送信される。第１メッセージ送信手段２４は、通信相手のゲートウェイに対し、電話交換機からのメッセージを制御チャネルを使用して送信されるメッセージに設定し、送信する。
【００２５】
第２メッセージ送信手段２６は、通信相手のゲートウェイに接続される電話交換機から送出された第５メッセージが設定されたメッセージを制御チャネルから受信すると、第５メッセージを抽出して、電話交換機１４に送信される。電話交換機１４は、第５メッセージを受信して、端末１２＃１に対して処理をする。これにより、電話交換機１４は、相手の電話交換機と第１及び第２メッセージを含めてメッセージの送受信を行うことができる。
【００２６】
音声チャネル開設手段２８は、第２メッセージに対する着信先の電話交換機から応答を示す第６メッセージが設定されたメッセージを制御チャネルから受信すると、発信元の端末１２＃１と着信先の端末との間で通話をするための音声チャネルを開設する。この通話チャネルを用いて、端末１２＃１と着信端末間で音声の通話が行われる。
【００２７】
ここで、発信側又は着信側の端末が転送操作を行ったとする。例えば、発信側の端末１２＃１が着信電話交換機に収容される他の端末に転送操作を行ったとする。上記と同じ処理を実行して、端末１２＃１と他の端末との間で通話をするための制御チャネル及び音声チャネルが開設される。
【００２８】
そして、端末１２＃１が切断をすることになる。電話交換機１４は、ゲートウェイ１８に転送先通知メッセージ及び最適化処理要求の第１メッセージを送信する。これらのメッセージが相手ゲートウェイを通して、電話交換機に送信される。
【００２９】
相手の電話交換機は、転送先通知メッセージ及び最適化処理要求に従って、ルーチングオブティマイゼーション処理を行って、処理完了メッセージを電話交換機１４に通知する。電話交換機１４は、処理完了メッセージを受信すると、解放を指示する第７メッセージを相手の電話交換機に送信する。
【００３０】
相手電話交換機は、接続を解放する。チャネル解放手段３０は、第７メッセージが設定されたメッセージを制御チャネルから受信すると、第７メッセージに関わる制御チャネル及び音声チャネルを解放する。
【００３１】
第１実施形態
図２は、本発明の実施形態のインターネットテレフォニー・ゲートウェイシステムを示す図である。図２に示すように、インターネットテレフォニー・ゲートウェイシステムは、複数の端末４２＃ｉｊ（ｉ＝１…，ｊ＝１…）、複数のＰＢＸ４４＃ｉ（ｉ＝１…）及び複数のゲートウェイ４６＃ｉ（ｉ＝１…）から成る。
【００３２】
複数の端末４２＃ｉｊ（ｊ＝１…）は、ＰＢＸ４４＃ｉに収容される電話端末である。各ＰＢＸ４４＃ｉは、端末４２＃ｉｊ（ｊ＝１…）を収容し、発信特番が付与された電話交換機である。例えば、ＰＢＸ４４＃１，４４＃２，４４＃３には、発信特番７００，７１０，７２０がそれぞれ付与されている。端末４２＃０１，４２＃０２は、インターネット４８に接続されるパソコンなどの端末である。
【００３３】
ゲートウェイ４６＃ｉは、ＰＢＸ４４＃ｉ及びインターネット４８に接続されている。ゲートウェイ４６＃ｉとＰＢＸ４４＃ｉの間は、ＩＳＤＮ回線により接続されている。尚、本実施形態では、ゲートウェイ４６＃ｉとＰＢＸ４４＃ｉは１対１に対応しているが、１対ｎ（ｎ≧２）であってもよい。インターネット４８は、ＴＣＰ／ＩＰプロトコルで通信されるＬＡＮやＷＡＮである。
【００３４】
ゲートウェイ４６＃ｉは、ロジカルゲートウェイ番号及びインターネツト４８に接続するためにＩＰ(Internet Protocol)アドレスが付与されている。ロジカルゲートウェイ番号は、インターネットテレフォニー・ゲートウェイシステム全体で１からシーケンシャルに付与されている。
【００３５】
図３は、ゲートウェイとＩＰアドレスなどの関連図である。図３に示すように、ゲートウェイ４６＃１は、収容するＰＢＸ４４＃１の発信特番が７００、ロジカルゲートウェイ番号が１、ＩＰアドレスが０００．０００．０００．００１である。ゲートウェイ４６＃２は、収容するＰＢＸ４４＃２の発信特番が７１０、ロジカルゲートウェイ番号が２、ＩＰアドレスが０００．０００．０００．００２である。
【００３６】
ゲートウェイ４６＃３は、収容するＰＢＸ４４＃３の発信特番が７２０、ロジカルゲートウェイ番号が３、ＩＰアドレスが０００．０００．０００．００３である。また、端末４２＃０１，４２＃０２は、発信特番が０１，０２、ＩＰアドレスが０００．０００．０００．００４，０００．０００．０００．００５である。
【００３７】
図４は、ゲートウェイ間の接続構成図である。図４に示すように、ゲートウェイ４６＃ｉと４６＃ｊ（ｉ≠ｊ）間は、インターネット４８を介して、Ｈ３２３チャネルにより接続される。Ｈ３２３チャネルは、信号チャネル、Ｈ２４５チャネル及び音声チャネルからなる。信号チャネルは、呼を制御するために使用されるチャネルであり、Ｈ３２３のＱ９３１メッセージ手順により接続される。
【００３８】
Ｈ２４５チャネルは、チャネルのネゴシエーションに使用されるチャネルであり、接続するお互いのインターネットテレフォニー・ゲートウェイが持つメディア能力（音声、ビデオ、データなど）を通知して、使用するメディアを決定する機能と互いの通話チャネルを教え合う機能を持つ。音声チャネルは、Ｈ２４５チャネルで決定された音声、ビデオ、データなどを流すチャネルである。
【００３９】
図５は、本発明の第１実施形態によるゲートウェイの構成図である。図５に示すように、各ゲートウェイ４６は、インターネット回線制御部６０、回線交換制御部６２及び呼制御部６４からなる。
【００４０】
インターネット回線制御部６０は、インターネット４８からの信号チャネル、Ｈ２４５チャネル及び音声チャネルの各信号を抽出して、呼制御部６４に処理依頼をする機能と、呼制御部６４からの要求を元に、信号チャネル、Ｈ２４５チャネル及び音声チャネルに信号を設定して、インターネット４８に送信する機能を有する。
【００４１】
インターネット回線制御部６０は、ＩＳＤＮメッセージトランスファ制御部６８及びＨ３２３システムコントロール部６６からなる。ＩＳＤＮメッセージトランスファ制御部６８は、呼制御部６８からの要求に従って、信号チャネルのＨ３２３Ｈ３２３・Ｑ９３１のUser Informationメッセージ情報要素にメッセージを設定する機能と信号チャネル制御部７４の要求に従って、信号チャネルのUser Informationメッセージ情報要素を抽出する機能を有する。
【００４２】
特に、本実施形態では、ＰＢＸ４４＃ｉから送信されるＩＳＤＮのメッセージを他のゲートウェイに送信するために、Ｈ３２３・Ｑ９３１のUser Informationメッセージに新規情報要素（ＩＳＤＮ  Message Transfer情報要素）を追加している。そして、新規に追加したＩＳＤＮ  Message Transfer情報要素にＰＢＸ４４＃ｉから送信されたＩＳＤＮのメッセージを設定する。
【００４３】
更にＨ３２３・Ｑ９３１のUser InformationメッセージのＩＳＤＮ  Message Transfer情報要素からＩＳＤＮのメッセージを抽出する。尚、Ｈ３２３・Ｑ９３１のUser InformationメッセージがＩＳＤＮのメッセージが設定されたメッセージであるかは、情報要素群に設定された情報要素の中にＩＳＤＮ  Message Transfer情報要素を示す情報要素識別子の有無により判断する。
【００４４】
図６は、Ｈ３２３  User Informationメッセージ情報を示す図である。
【００４５】
図６に示すように、Ｈ３２３  User Informationメッセージは、Protocol Discriminator, Call reference, Message Typeなどのヘッダ部とSending Complete, Display, Keypad Facilityなどの情報要素群からなる。ＩＳＤＮ  Message Transfer情報要素は、情報要素群の中の一つの情報要素で、情報要素識別子（情報要素識別コード）、内容長（バイト長）、レイヤ３ＩＳＤＮメッセージ情報からなる。
【００４６】
ＩＳＤＮ  Message Transfer情報要素は、情報要素識別子にＩＳＤＮ  Message Transfer情報要素を識別するためのコードが設定される。本実施形態でＩＳＤＮ  Message Transfer情報要素のレイヤ３ＩＳＤＮメッセージ情報にＰＢＸ４４＃ｉにて編集されたＩＳＤＮメッセージが設定される。
【００４７】
図７は、本発明の第１実施形態によるＨ３２３チャネルを示す図である。図７に示すように、本第１実施形態では、信号チャネル、Ｈ２４５チャネル及び音声チャネルについて、ＰＢＸ４４＃ｉから送信されたＩＳＤＮメッセージの送受信のために、信号チャネルのUser Informationメッセージ情報要素を使用するが、Ｈ２４５チャネル及び通話用音声チャネルは、通常の使用方法となる。
【００４８】
音声チャネル制御部７２は、呼制御部６４からの指示に従って、ゲートウェイ４６＃ｉと４６＃ｊ間でＲＴＰ／ＲＴＣＰ通信を行うことにより音声チャネルの開設、開設した音声チャネルに設定された信号の送受信及び音声チャネルの解放をする。
【００４９】
信号チャネル制御部７４は、呼制御部６４の指示に従って、信号チャネルの開設、解放、Ｈ３２３ User Informationメッセージ情報要素が設定された信号チャネルの送信、及び信号チャネルを受信して、Ｈ３２３ User Informationメッセージ情報要素を抽出するように、ＩＳＤＮメッセージトランスファ制御部６８に指示する機能を有する。
【００５０】
Ｈ２４５制御部７６は、呼制御部６４の指示に従って、Ｈ２４５チャネルを用いて、お互いのインターネットテレフォニー・ゲートウェイが持つメディア能力（音声、ビデオ、データなど）を通知する。
【００５１】
回線交換制御部６２は、ＰＢＸ４４＃ｉとの間で信号を受信して、ＩＳＤＮメッセージを分離して、呼制御部６４に出力する。また、呼制御部６４からの指示に従って、ＩＳＤＮメッセージをＰＢＸ４４＃ｉに出力する。
【００５２】
呼制御部６４は、発信ゲートウェイ決定テーブル８０、インターネット接続情報テーブル８２及びインターネット通話チャネル管理テーブル８４を有する。図８は、図５中の発信ゲートウェイ決定テーブル構成図である。
【００５３】
図８に示すように、発信ゲートウェイ決定テーブル８０は、図示しない保守コンソールから入力されたインターネットテレフォニー・ゲートウェイシステムを構成する他の全てのゲートウェイ４６＃ｊ（ｊ≠ｉ）について、該ゲートウェイ４６＃ｊが接続されるＰＢＸ４４＃ｊの発信特番及びゲートウェイ４６＃ｊの発信先ロジカルゲートウェイ番号が発信特番をインデックスとした領域に記憶されている。
【００５４】
図９は、図５中のインターネット接続情報テーブル構成図である。インターネット接続情報テーブル８２は、発信ゲートウェイ決定テーブル８０に記憶されたゲートウェイ４６＃ｊの発信先ロジカルゲーウェイ番号をインデックスとした領域に、ゲートウェイ４６＃ｊのインターネット発信先ＩＰアドレスが記憶されている。
【００５５】
まず、発信特番から発信ゲートウェイ決定テーブル８０を索引して、発信先ロジカルゲートウェイ番号を決定する。決定した発信先ロジカルゲートウェイ番号からインターネット接続情報テーブル８２を索引して、発信番号に該当するＩＰアドレスを決定する。
【００５６】
このＩＰアドレスを使用して、インターネット４８を介して、ゲートウェイ４６＃ｉとゲートウェイ４６＃ｊとの間で、Ｈ３２３で規定されるプロトコルによる通信を行われる。
【００５７】
尚、インターネット接続情報テーブル８２及び発信ゲートウェイ決定テーブル８０の代わりに、発信番号をインデックスとした領域にＩＰアドレスを記憶するテーブルにより構成してもよい。
【００５８】
図１０は、図５中のインターネット通話チャネル管理テーブル構成図である。図１０に示すように、インターネット通話チャネル管理テーブル８４には、呼番号をインデックスとした領域に、インターネット信号チャネル番号及びインターネット音声チャネル番号が記憶される。
【００５９】
呼番号は、ＰＢＸ４４＃ｉから送信されたＩＳＤＮ−ＳＥＴＵＰメッセージに設定された呼番号に対応する番号である。インターネット信号チャネル及びインターネット音声チャネルは、ＩＳＤＮ−ＳＥＴＵＰメッセージに基いて、開設されるチャネル番号である。
【００６０】
インターネット通話チャネル管理テーブル８４は、ＩＳＤＮ−ＲＥＬ ＣＯＭＰメッセージに基いて、開設した信号チャネル及び音声チャネルを解放するときに使用される。
【００６１】
呼制御部６４は、以下の機能を有する。
【００６２】
（１）  回線交換制御部６２から出力されたＩＳＤＮメッセージを分析して、以下の処理を行う。
【００６３】
（ａ）ＰＢＸ４４＃ｉからＩＳＤＮ−ＳＥＴＵＰメッセージを受信すると、ＳＥＴＵＰメッセージに設定された着番号情報要素の発信番号から発信ゲートウェイ決定テーブル８０及びインターネット接続情報テーブル８２を検索して、着信先のゲートウェイのＩＰアドレスを決定する。
【００６４】
ＩＰアドレスを用いて、Ｈ３２３メッセージ手順に従って、信号チャネル制御部７４にＳＥＴＵＰメッセージを送出して、呼設定するように指示する。Ｈ２４５制御部７６にＨ２４５信号チャネルを開設するよう指示する。
【００６５】
（ｃ）ＰＢＸ４４＃ｉから受信したメッセージ（ＩＳＤＮ−ＳＥＴＵＰ、ＡＬＥＲＴ，ＣＯＮＮ，ＦＡＣＩＬＩＴＹ，ＦＡＣＩＬＩＴＹ ＡＣＫ，ＤＩＳＣ，ＲＥＬ，ＲＥＬ ＣＯＭＰなど）を、新規に追加したＨ３２３・９３１のUser Informationメッセージ情報要素に設定するように、ＩＳＤＮメッセージトランスファ制御部６８に指示する。ＩＳＤＮメッセージトラトンスファ制御部６８が設定したメッセージをＩＳＤＮメッセージの呼番号に対応する信号チャネルを使用して送信するように信号チャネル制御部７４に指示する。
【００６６】
（２）  インターネット４８から受信した信号チャネルのメッセージについて、以下の処理を行う。
【００６７】
（ａ）インターネット４８から受信した新規に追加したＨ３２３・９３１のUser Informationメッセージ情報要素に設定されたＩＳＤＮメッセージを、回線交換制御部６２に送出するよう指示する。
【００６８】
（ｂ）ＡＬＥＲＴ／ＣＯＮＮメッセージを受信すると、音声チャネル制御部７４に音声チャネルを開設するよう指示する。
【００６９】
（ｃ）ＲＥＬ ＣＯＭＰメッセージを受信すると、メッセージに設定された呼番号からインターネット信号チャネル番号及びインターネット音声チャネル番号を決定し、信号チャネル及び音声チャネルの解放を信号チャネル制御部７４及び音声チャネル制御部７２に指示する。
【００７０】
図１１及び図１２は、本発明の第１実施形態によるメッセージシーケンスを示す図である。図１３は、本発明の第１実施形態によるインターネット網転送サービス時のパス接続を示す図である。
【００７１】
以下、これらの図を参照して、第１実施形態によるインターネットテレフォニー・ゲートウェイシステムの動作説明をする。
【００７２】
本実施形態では、一例として、ＰＢＸ４４＃２に収容される端末４２＃２１がＰＢＸ４４＃１に収容される端末４２＃１１に発信してから、端末４２＃２１と４２＃１１との間で通話中に、端末４２＃１１が転送釦押下して、ＰＢＸ４４＃２に収容される端末４２＃２２に発信して、転送したものとする。
【００７３】
図１１に示すように、ＰＢＸ４４＃２に収容される端末４２＃２１は、オフフックして、ＰＢＸ４４＃１の発信特番（７００）＋端末４２＃１１の内線番号（１１）をダイヤルしたとする。ＰＢＸ４４＃２は、発信特番（７００）＋端末４２＃１１の内線番号を着番号情報要素に設定して、呼番号（ＣＲ１）のＩＳＤＮ−ＳＥＴＵＰメッセージを、ゲートウェイ４６＃２に送出する。
【００７４】
ゲートウェイ４６＃２は、ＩＳＤＮ−ＳＥＴＵＰメッセージを受信すると、ＩＳＤＮ−ＳＥＴＵＰメッセージの着番号情報要素に設定された発信番号から発信ゲートウェイ決定テーブル８０及びインターネット接続情報テーブル８２を索引して、着信先のゲートウェイのＩＰアドレスを決定する。
【００７５】
例えば、本例では、発信特番７００なので、ゲートウェイ４６＃１のＩＰアドレス０００．０００．０００．００１が取得される。そして、ゲートウェイ４６＃２は、ゲートウェイ４６＃１のＩＰアドレスを用いて、Ｈ３２３メッセージ手順に従って、ＳＥＴＵＰメッセージをゲートウェイ４６＃１に送出する。
【００７６】
ゲートウェイ４６＃１は、ＳＥＴＵＰメッセージを受信すると、ＡＬＥＲＴ／ＣＯＮＮメッセージを編集後、信号チャネルに対し送信要求することで、インターネット４８を介して、ゲートウェイ４６＃２にメッセージを各々送信する。ゲートウェイ４６＃２は、信号チャネルを接続中とする。ゲートウェイ４６＃２は、ＩＳＤＮメッセージの呼番号（ＣＲ１）をインデックスとしたインターネット通話チャネル管理テーブル８４にインターネット信号チャネル番号を記憶する。
【００７７】
ゲートウェイ４６＃２は、ＰＢＸ４４＃２から受信したＩＳＤＮ−ＳＥＴＵＰメッセージをＨ３２３・Ｑ９３１User Informationメッセージの新規情報要素に設定し、既に接続中の信号チャネルを使用することで、インターネット４８を介して、ゲートウェイ４６＃１に送信する。
【００７８】
ゲートウェイ４６＃１は、信号チャネルから受信されたＨ３２３・Ｑ９３１User Informationメッセージの新規情報要素に設定されたＩＳＤＮ−ＳＥＴＵＰメッセージを分離して、ＰＢＸ４４＃１に送出する。ＰＢＸ４４＃１は、ＩＳＤＮ−ＳＥＴＵＰメッセージに設定された内線番号（１１）に該当する端末４２＃１１に対し着信を行う。
【００７９】
端末４２＃１１が着信応答すると、ＰＢＸ４４＃１は、端末４２＃１１を接続して、ＳＥＴＵＰメッセージと同じ呼番号（ＣＲ１）を用いて、ＩＳＤＮ−ＡＬＥＲＴ／ＣＯＮＮ（呼び出し／応答）メッセージをゲートウェイ４６＃１に送信する。ゲートウェイ４６＃１は、ＰＢＸ４４＃１から受信したＩＳＤＮ−ＡＬＥＲＴ／ＣＯＮＮメッセージをＨ３２３・Ｑ９３１User Informationメッセージの新規情報要素に設定して、インターネット４８を介して、ゲートウェイ４６＃２に送信する。
【００８０】
ゲートウェイ４６＃２は、インターネット４８からＨ３２３・Ｑ９３１メッセージの新規情報要素に設定されたＩＳＤＮ−ＡＬＥＲＴ／ＣＯＮＮメッセージを取り出して、ＰＢＸ４４＃２に送信し、通話中とする。
【００８１】
ゲートウェイ４６＃２は、Ｈ２４５チャネル、音声チャネルの開設を行い、ＲＴＰ／ＲＴＣＰ通信を行うことにより、端末４２＃１１と端末４２＃２１の通話を可能とする。ゲートウェイ４６＃２は、ＩＳＤＮ−メッセージの呼番号（ＣＲ１）をインデックスとするインターネット通話チャネル管理テーブル８４の領域に音声チャネル番号を記憶する。
【００８２】
端末４２＃１１からＰＢＸ４４＃２の端末４２＃２２に転送する場合は、端末４２＃１１は、転送釦を押下後、転送先のＰＢＸ４４＃２の発信特番（７１０）＋端末４２＃２２の内線番号（２２）をダイヤルする。
【００８３】
この場合も、端末４２＃２１から端末４２＃１１に発信した時と同様にして、ゲートウェイ４６＃１，４６＃２間に、新たな呼番号（ＣＲ２）の信号チャネルを開設し、ＰＢＸ４４＃１からのＩＳＤＮメッセージを該信号チャネルのＨ３２３・Ｑ９３１のUser Informationメッセージの新規情報要素に設定して、ゲートウェイ４６＃１，４６＃２間で通信する。
【００８４】
これにより、端末４２＃１１と端末４２＃２２と間でゲートウェイ４６＃１、インターネット４８及びゲートウェイ４６＃２を介した通話が行われる。端末４２＃１１がオンフックして、切断すると、ＰＢＸ４４＃１は、端末４２＃２２との通話で使用していた呼番号（ＣＲ１）にて、ＩＳＤＮ−ＦＡＣＩＬＩＴＹ（転送先通知）メッセージをゲートウェイ４６＃１に送信する。
【００８５】
ゲートウェイ４６＃１は、ＩＳＤＮ−ＦＡＣＩＬＩＴＹメッセージの呼番号（ＣＲ１）に対応する信号チャネルに、ＩＳＤＮのＦＡＣＩＬＩＴＹメッセージをＨ３２３・Ｑ９３１User Informationメッセージの新規情報要素に編集後、送信要求することで、ゲートウェイ４６＃２に送信する。ゲートウェイ４６＃２は、ＩＳＤＮ−ＦＡＣＩＬＩＴＹメッセージをＰＢＸ４４＃２に送信する。
【００８６】
ＰＢＸ４４＃２は、ＩＤＳＮ−ＦＡＣＩＬＩＴＹメッセージを受信するとＩＳＤＮのＦＡＣＩＬＩＴＹ ＡＣＫをＦＡＣＩＬＩＴＹメッセージの呼番号（ＣＲ１）にて、ゲートウェイ４６＃２に送信する。ゲートウェイ４６＃２は、ＦＡＣＩＬＩＴＹ ＡＣＫをＨ３２３・Ｑ９３１User Informationメッセージの新規情報要素に設定して、ゲートウェイ４６＃１に送信する。ゲートウェイ４６＃１は、ＩＳＤＮのＦＡＣＩＬＩＴＹ ＡＣＫをＰＢＸ４４＃１に送信する。
【００８７】
ＰＢＸ４４＃１は、ＩＳＤＮの呼番号（ＣＲ１）のＦＡＣＩＬＩＴＹ ＡＣＫメッセージを受信すると、ＩＳＤＮ−ＦＡＣＩＬＩＴＹ（最適化要求）メッセージを発呼番号（ＣＲ１）にて、ゲートウェイ４４＃１に送信する。ゲートウェイ４４＃１は、ＩＳＤＮのＦＡＣ（最適化要求）メッセージをＨ３２３・Ｑ９３１User Informationメッセージの新規情報要素に設定して、ゲートウェイ４６＃２に送信する。
【００８８】
ゲートウェイ４６＃２は、ＩＳＤＮ−ＦＡＣＩＬＩＴＹ（最適化要求）メッセージをＰＢＸ４４＃２に送信する。ＰＢＸ４４＃２は、呼番号（ＣＲ１）の最適化要求を受けると、呼番号（ＣＲ１）は、端末４２＃２１から端末４２＃１１に対して設定されたものであり、転送通知により、端末４２＃２２への転送が指示されるので、ルーチングオプティマイゼーション（最適化処理）により、端末４２＃２１から端末４２＃１１へパスを端末４２＃２１に切り替える。これにより、端末４２＃２１と４２＃２１との間で、ＰＢＸ４４＃２内で設定されたパスにより通話が行われる。従って、音質が劣化することがない。
【００８９】
ＰＢＸ４４＃２は、最適化処理を行うと、ＩＳＤＮのＦＡＣＩＬＩＴＹ ＡＣＫメッセージをゲートウェイ４６＃２に送信する。ＩＳＤＮのＦＡＣＩＬＩＴＹ ＡＣＫメッセージは、インターネット４８、ゲートウェイ４６＃１を通して、ＰＢＸ４４＃１に送信される。
【００９０】
ＰＢＸ４４＃１は、呼番号（ＣＲ１）の回線解放を指示するＩＳＤＮ−ＤＩＳＣメッセージをゲートウェイ４６＃１に送信する。ゲートウェイ４６＃１は、呼番号（ＣＲ１）に対応する信号チャネルを使用して、Ｈ３２３・Ｑ９３１User Informationメッセージの新規情報要素にＤＩＳＣメッセージを設定して、ゲートウェイ４６＃２に送信する。
【００９１】
ゲートウェイ４６＃２は、ＤＩＳＣメッセージをＰＢＸ４４＃２に送信する。図１２に示すように、ＰＢＸ４４＃２は、ＩＳＤＮ−ＲＥＬメッセージをゲートウェイ４６＃２，４６＃１を介して、ＰＢＸ４４＃１に送信する。ＰＢＸ４４＃１は、ＲＥＬメッセージを受信すると、ＲＥＬ ＣＯＭＰメッセージをゲートウェイ４６＃１，４６＃２を介して、ＰＢＸ４４＃２に送信する。ＰＢＸ４４＃１，４４＃２は、呼番号（ＣＲ１）の通話チャネルを解放する。
【００９２】
ゲートウェイ４６＃２は、ゲートウェイ４６＃１からＨ３２３・Ｑ９３１User Informationメッセージの新規情報要素に設定されたＩＳＤＮ−ＲＥＬ ＣＯＭＰメッセージを受信すると、呼番号（ＣＲ１）からインターネット通話チャネル管理テーブル８４を索引して、信号チャネル及び音声チャネルを解放する。
【００９３】
同様にして、呼番号（ＣＲ２）についても、ＰＢＸ４４＃１，４４＃２及びゲートウェイ４６＃１，４６＃２において、それぞれ信号チャネルや音声チャネルか解放される。これにより、図１３に示すように、ＰＢＸ４４＃２内で端末４２＃２１と４２＃２２の間で最適なパスに切替えられると共に、端末４２＃２１と端末４２＃１１及び端末４２＃１１と端末４２＃２２との間のパスが解放される。そのため、音声の劣化が防止されると共に、回線が無駄になることが回避される。
【００９４】
第２実施形態
図１４は、本発明の第２実施形態によるゲートウェイの構成図であり、図５中の要素と実質的に同一の要素には同一の符号を付している。図１４のゲートウェイは、ＩＳＤＮメッセージ・トランスファ部９２からＨ３２３・Ｑ９３１メッセージの新規情報要素にＩＳＤＮのメッセージを設定する機能を無くしたこと、ＩＳＤＮメッセージを設定するチャネルを信号チャネルではなく音声チャネルとしたこと、インターネット通話チャネル管理テーブル９４にＩＳＤＮメッセージ送受信用音声チャネル番号を追加したことが図５のゲートウェイと異なる。
【００９５】
呼制御部９０は、図２中のＰＢＸ４４＃ｉから送出されたＩＳＤＮメッセージをＨ３２３・Ｑ９３１メッセージの新規情報要素に設定するのではなく、ＩＳＤＮメッセージを送受信するための音声チャネルを開設して、該音声チャネルにＩＳＤＮメッセージを設定して、インターネット４８に送信するようにしたことが図５中の呼制御部６４と異なる。
【００９６】
また、インターネット通話チャネル管理テーブル９４に信号チャネル番号及び通話用の音声チャネル番号に加えて、ＩＳＤＮメッセージ送受信用のインターネット音声チャネル及び通話用の音声チャネル番号を記憶すること、ＩＳＤＮメッセージ送受信用の音声チャネルについてはコーデック制御しないよう制御することが図５中の呼制御部６４と異なる。
【００９７】
図１５は、図１４中のインターネット通話チャネル管理テーブル構成図である。図１５に示すように、インターネット通話チャネル管理テーブル９４は、呼番号をインデックスとする領域に、インターネット信号チャネル番号、インターネットＩＳＤＮメッセージ送受信用音声チャネル番号及び通話用音声チャネル番号が記憶される。呼番号は、ＩＳＤＮ−ＳＥＴＵＰメッセージに設定された呼番号である。
【００９８】
図１６は、ゲートウェイ間の通信に使用するＨ３２３チャネルの構成図である。この図に示すように、本発明の第２実施形態で使用するＨ３２３チャネルは、信号ャネル、Ｈ２４５チャネル、ＩＳＤＮメッセージ送受信用音声チャネル及び通話用音声チャネルから構成される。
【００９９】
図１７及び図１８は、本発明の第２実施形態によるインターネットテレフォニー・ゲートウェイシステムのメッセージシーケンスを示す図である。以下、これらの図を参照して、本発明の第２実施形態によるインターネットテレフォニー・ゲートウェイシステムの動作説明をする。
【０１００】
本実施形態では、一例として、ＰＢＸ４４＃２に収容される端末４２＃２１がＰＢＸ４４＃１に収容される端末４２＃１１に発信してから、端末４２＃２１と４２＃１１との間で通話中に、端末４２＃１１が転送釦押下して、ＰＢＸ４４＃２に収容される端末４２＃２２に発信して、転送したものとする。
【０１０１】
図１７に示すように、ＰＢＸ４４＃２は、端末４２＃１１の番号をダイヤルすると、ＰＢＸ４４＃２は、ＩＳＤＮ−ＳＥＴＵＰメッセージをゲートウェイ１００＃２に送信する。ゲートウェイ１００＃２は、ＩＳＤＮ−ＳＥＴＵＰメッセージの着番号情報要素を元に、インターネット発信先のゲートウェイ１００＃１を決定し、呼番号（ＣＲ１）にて、ゲートウェイ１００＃２，１００＃１間をＨ３２３メッセージ手順により信号チャネル（例えば、信号チャネル番号＝１）を接続中とする。
【０１０２】
Ｈ２４５チャネルを用いて、メディアの種類を決定し、Ｈ２４５チャネルを接続中とする。ＲＴＰ／ＲＴＣＰ通信により、ＩＳＤＮメッセージ送受信用の音声チャネル（例えば、音声チャネル番号＝１）を開設して接続中とする。ゲートウェイ１００＃２，１００＃１は、接続中とした呼番号（ＣＲ１）をインディクスとするインターネット通話管理テーブル９４の領域に信号チャネル番号及びＩＳＤＮメッセージ送受信用音声チャネル番号を記憶する。
【０１０３】
ゲートウェイ１００＃２は、ＰＢＸ４４＃２から受信したＩＳＤＮ−ＳＥＴＵＰメッセージをＩＳＤＮメッセージ送受信用音声チャネルに設定して、ゲートウェイ１００＃１に送信する。ゲートウェイ１００＃１は、ゲートウェイ１００＃２から受信したＩＳＤＮ−ＳＥＴＵＰメッセージをＰＢＸ４４＃１に送信する。ＰＢＸ４４＃１は、ＩＳＤＮ−ＳＥＴＵＰメッセージの着番号情報要素を元に着信先の端末４２＃１１に着信する。
【０１０４】
ゲートウェイ１００＃１は、ＰＢＸ４４＃１からのＩＳＤＮ−ＡＬＥＲＴ／ＣＯＮＮメッセージにＩＳＤＮメッセージ送受信用チャネルに設定して、ゲートウェイ１００＃２に送信する。ゲートウェイ１００＃２は、ゲートウェイ１００＃１から受信したＩＳＤＮ−ＡＬＥＲＴ／ＣＯＮＮメッセージをＰＢＸ４４＃２に送信する。
【０１０５】
ゲートウェイ１００＃２は、ゲートウェイ１００＃１間のＲＴＰ／ＲＴＣＰ通信を行うことにより、音声チャネルの開設を行い、端末４２＃２１と４２＃１１との間の通話を可能とする。ゲートウェイ１００＃２は、呼番号（ＣＲ１）に対応する信号チャネル番号をインデックスとするインターネット通話チャネル管理テーブル９４の領域に、音声チャネルの番号（例えば、音声チャネル番号＝２）を記憶する。
【０１０６】
端末４２＃１１が端末４２＃２２に転送するために、転送釦＋転送先（発信特番７１０＋内線番号２２）をダイヤルしたとする。ＰＢＸ４４＃１は、端末４２＃１に保留音接続して、ゲートウェイ１００＃１にＩＳＤＮ−ＳＥＴＵＰメッセージを送信する。
【０１０７】
ゲートウェイ１００＃１は、前述と同様にして、Ｈ３２３メッセージ手順により、信号チャネル、Ｈ２４５チャネル及びＩＳＤＮメッセージ送受信用音声チャネルを接続中とする。ゲートウェイ１００＃１は、信号チャネルの番号（例えば、信号チャネル番号＝２）及びＩＳＤＮメッセージ送受信用音声チャネルの番号（例えば、信号チャネル番号＝４）をインターネット通話チャネル管理テーブル９４に登録する。ゲートウェイ１００＃１は、ＩＳＤＮメッセージ送受信用音声チャネルを使用して、ＩＳＤＮメッセージの送受信を行うことにより、端末４２＃１１と端末４２＃２２間の通話用の音声チャネルの開設を行う。
【０１０８】
ゲートウェイ１００＃１，１００＃２間のＲＴＰ／ＲＴＣＰ通信を行うことで、端末４２＃１１と４２＃２２間の通話を可能とする。ゲートウェイ１００＃１は、音声チャネルの番号をインターネット通話チャネル管理テーブル９４に登録する。
【０１０９】
端末４２＃１１が切断すると、ＰＢＸ４４＃１は、端末４２＃１１と端末４２＃２１間で呼設定された呼番号（ＣＲ１）で、ＩＳＤＮ−ＦＡＣＩＬＩＴＹ（転送先通知）メッセージをゲートウェイ１００＃１に送信する。
【０１１０】
ゲートウェイ１００＃１は、呼番号（ＣＲ１）に対応するＩＳＤＮメッセージ送受信用チャネルに、ＩＳＤＮ−ＦＡＣＩＬＩＴＹ（転送通知）メッセージを設定して、ゲートウェイ１００＃２に送信する。ゲートウェイ１００＃２は、ＩＳＤＮ−ＦＡＣＩＬＩＴＹ（転送通知）メッセージをＰＢＸ４４＃２に送信する。
【０１１１】
ＰＢＸ４４＃２，４４＃１は、ＩＳＤＮ−ＦＡＣＩＬＩＴＹ ＡＣＫメッセージ、ＩＳＤＮ−ＦＡＣＩＬＩＴＹ（最適化要求）メッセージの送受信のシーケンスを実行するが、ゲートウェイ１００＃１，１００＃２は、ＩＳＤＮメッセージ送受信用音声チャネルにこれらのＩＳＤＮメッセージ設定して、送信する。ＰＢＸ４４＃２は、最適化要求のＦＡＣＩＬＩＴＹメッセージにより既存処理のルーチングオプティマイゼーション処理を行い、端末４２＃２１と４２＃２２のパス張り替え処理を行う。
【０１１２】
ＰＢＸ４４＃１、４４＃２は、呼番号（ＣＲ１）で、ＩＳＤＮ−ＤＩＳＣメッセージ、ＩＳＤＮ−ＲＥＬメッセージ、ＩＳＤＮ−ＲＥＬ ＣＯＭＰメッセージを送受信するシーケンスを実行する。
【０１１３】
ゲートウェイ１００＃１，１００＃２は、呼番号（ＣＲ１）に該当する信号チャネルのＩＳＤＮメッセージ送受信用音声チャネルに、これらのＩＳＤＮメッセージを設定して送信する。
【０１１４】
ゲートウェイ１００＃２は、ＩＳＤＮ−ＲＥＬ ＣＯＭＰメッセージを受信すると、呼番号（ＣＲ１）よりインターネット通話チャネル管理テーブル９４を索引して、信号チャネル、Ｈ２４５チャネル及び２つの音声チャネルを解放する。同様に、呼番号（ＣＲ２）に関わる信号チャネル、Ｈ２４５チャネル及び２つの音声チャネルを解放する。
【０１１５】
第３実施形態
図１９は、本発明の第３実施形態によるゲートウェイの構成図であり、図５中の構成要素と実質的に同一の構成要素には同一の符号を付している。又、本実施形態によるゲートウェイは、第１実施形態で使用した符号に対応させると、ゲートウェイ４６＃ｉをゲートウェイ１０９＃ｉとする。
【０１１６】
図１９のゲートウェイ１０９＃ｉは、ＰＢＸ４４＃ｉから受信したＩＳＤＮメッセージを信号チャネルのＨ３２３・Ｑ９３１のUser Informationメッセージ情報に追加した新規情報要素に設定することに関しては、図５のゲートウェイ４６＃ｉと同じであるが信号チャネルをゲートウェイ１０９＃ｉの立ち上げ時に開設し、通話切断時に、通話用の音声チャネルのみを解放する点で、図５のゲートウェイ４６＃ｉと異なる。
【０１１７】
（１）図１９中の呼制御部１１０は、ゲートウェイ１０９＃ｉが立ち上がると、インターネットテレフォニー・ゲートウェイシステムを構成する他の全てのゲートウェイ１０９＃ｊ（ｊ≠ｉ）間でＨ３２３・Ｑ９３１メッセージ手順により、信号チャネルを開設するようにインターネット回線制御部６０を制御する点で図５中の呼制御部６４と異なる。
【０１１８】
（２）開設した信号チャネルをインターネット発信回線決定テーブル１１２に登録することが図５中の呼制御部６４と異なる。
【０１１９】
（３）ゲートウェイ１０９＃ｊからＩＳＤＮ−ＳＥＴＵＰメッセージを受信すると、インターネット音声チャネルを開設して、開設した音声チャネル番号を、呼番号対応インターネット音声チャネル管理テーブル１１４に登録することが図５中の呼制御部６４と異なる。
【０１２０】
（４）端末４２＃ｉｊが切断したときに、通話用の音声チャネルのみを解放する点で図５中の呼制御部６４と異なる。
【０１２１】
図２０は、図１９中のインターネット発信回線決定テーブル構成図である。図２０に示すように、インターネット発信回線決定テーブル１１２は、インターネット発信先ロジカルゲートウェイ番号をインディクスとした領域に、インターネット信号チャネル番号が登録される。
【０１２２】
図２１は、図１９中の呼番号対応インターネット音声チャネル管理テーブル構成図である。図２０に示すように、呼番号対応インターネット音声チャネル管理テーブル１１４は、呼番号をインデックスとした領域に、インターネット音声チャネル番号が記憶される。呼番号とは、ＩＳＤＮ−ＳＥＴＵＰメッセージに設定される呼番号をいう。
【０１２３】
以下、図１９のゲートウェイ１０９＃ｉの動作説明をする。
【０１２４】
ゲートウェイ１０９＃ｉにて、インターネットテレフォニーゲートウェイシステムを構成する全てのゲートウェイ１０９＃ｊ（ｊ≠ｉ）について、インターネット発信先ロジカルゲートウェイ番号及びインターネット発信先ＩＰアドレスを保守コンソールより入力して、インターネット接続情報テーブル８２に登録する。
【０１２５】
同様に、全ての他のゲートウェイ１０９＃ｊについて、収容するＰＢＸの発信特番及び発信先ロジカルゲートウェイ番号を保守コンソールより入力して、発信ゲートウェイ決定テーブル８０に登録する。
【０１２６】
ゲートウェイ１０９＃ｉは、発信ゲートウェイ決定テーブル８０及びインターネット接続情報テーブル８２に登録が終了し、システムが立ち上がると、インターネット接続情報８２に登録されたＩＰアドレスを有するゲートウェイ１０９＃ｊとの間で、ＩＳＤＮメッセージ送受信のための信号チャネル（例えば、＝１）を開設し、Ｈ３２３・Ｑ９３１メッセージ手順により、信号チャネルを接続中とする。
【０１２７】
インターネット発信回線決定テーブル１１２のゲートウェイ１０９＃ｊのインターネット発信先ロジカルゲートウェイ番号をインデックスとする領域に、インターネット信号チャネルの番号（例えば、＝１）を登録する。
【０１２８】
図２２及び図２３は、本発明の第３実施形態によるメッセージシーケンスを示す図である。図２２に示すように、端末４２＃２１は、発信特番＋端末４２＃１１をダイヤル（７００＋１１）し、発信を行う。ＰＢＸ４４＃２は、ＩＳＤＮ−ＳＥＴＵＰメッセージをゲートウェイ１０２＃２に送信する。
【０１２９】
ゲートウェイ１０９＃２は、ＩＳＤＮ−ＳＥＴＵＰメッセージ情報の着番号情報要素の発信特番から、発信ゲートウェイ決定テーブル８０を索引し、該発信特番のＰＢＸ４４＃１を収容するゲートウェイ１０９＃１のインターネットロジカルゲートウェイ番号（＝１）を決定する。
【０１３０】
決定したインターネットロジカルゲートウェイ番号から、インターネット接続情報テーブル８２を索引し、ＩＰアドレスを決定する。さらに、決定したインターネットロジカルゲートウェイ番号から、インターネット発信回線決定テーブル１１２を索引し、ＩＳＤＮメッセージ送受信用信号チャネルを抽出する。
【０１３１】
ゲートウェイ１０９＃２は、Ｈ３２３・Ｑ９３１のUser Informationメッセージの新規情報要素にＰＢＸ４２＃２から受信したＩＳＤＮ−ＳＥＴＵＰメッセージを設定し、抽出したＩＳＤＮメッセージ送受信用信号チャネルを使用してゲートウェイ１０９＃１に送信する。
【０１３２】
ゲートウェイ１０９＃１は、Ｈ３２３・Ｑ９３１のUser Informationメッセージの新規情報要素に設定されたＩＳＤＮ−ＳＥＴＵＰメッセージをＰＢＸ４４＃１に送信する。ＰＢＸ４４＃２は、内線４２＃１１が呼び出し／応答すると、ＩＳＤＮ−ＡＬＥＲＴ／ＣＯＮＮメッセージをゲートウェイ１０９＃１に送信する。
【０１３３】
ゲートウェイ１０９＃１は、ＩＳＤＮ−ＡＬＥＲＴ／ＣＯＮＮメッセージをＩＳＤＮメッセージ送受信用信号チャネルのＨ３２３・Ｑ９３１のUser Informationメッセージの新規情報要素に設定して、ゲートウェイ１０９＃２に送信する。
【０１３４】
ゲートウェイ１０９＃２は、信号チャネルに設定されたＩＳＤＮ−ＡＬＥＲＴ／ＣＯＮＮメッセージを受信すると、ＩＳＤＮ−ＡＬＥＲＴ／ＣＯＮＮメッセージをＰＢＸ４４＃２に送信する。又、ＣＯＮＮメッセージを受信した場合は、通話用の音声チャネル（例えば、＝２）を開設し、ゲートウェイ１０９＃２−１０９＃１間の通話を可能とする。
【０１３５】
このとき、ゲートウェイト１０９＃２は、ＩＳＤＮメッセージの呼番号（ＣＲ１）をインデックスとした呼番号対応インターネット音声チャネル管理テーブル１１４の領域に、通話用の音声チャネル番号を記憶する。これにより、ＰＢＸ４４＃２から発信される毎に、信号チャネルを開設するのではないのでシーケンスが簡単になり、１つのＩＳＤＮメッセージ送受信用信号チャネルで複数の音声チャネルを管理することができる。
【０１３６】
端末４２＃１１が端末４２＃２２に転送するために、転送釦押下して、転送先（７１０＋２２）をダイヤルしたときも、ゲートウェイ１０１＃１が開設したＩＳＤＮメッセージ送受信用信号チャネルのＨ３２３・Ｑ９３１のUser Informationメッセージの新規情報要素にＩＳＤＮメッセージを設定して、送受信することにより、端末４２＃１１−４２＃２２の音声チャネルを開設して、呼番号（ＣＲ２）をインデックスとする呼番号対応音声チャネル管理テーブル１１４に、音声チャネル番号を記憶する。
【０１３７】
端末４４＃１１が切断すると、ＰＢＸ４４＃１と４４＃２間で、ＩＳＤＮ−ＦＡＣＩＬＩＴＹ（転送先通知）メッセージ、ＩＳＤＮ−ＦＡＣＩＬＩＴＹ  ＡＣＫメッセージ、ＩＳＤＮ−ＦＡＣＩＬＩＴＹ（最適化要求）メッセージ、ＩＳＤＮ−ＦＡＣＩＬＩＴＹ  ＡＣＫメッセージの送受信のシーケンスが実施される。
【０１３８】
このシーケンスにおいて、ゲートウェイ１０９＃１，１０９＃２は、ＩＳＤＮメッセージを、信号チャネルのＨ３２３・Ｑ９３１のUser Informationメッセージの新規情報要素に設定して、送受信する。ＰＢＸ４４＃２は、ＩＳＤＮ−ＦＡＣＩＬＩＴＹ（最適化要求）メッセージを受信すると、既存パス接続の最適化処理にて、パスを張り替える。
【０１３９】
ＰＢＸ４４＃１と４４＃２間で、ＩＳＤＮ−ＤＩＳＣメッセージ、ＩＳＤＮ−ＲＥＬメッセージ、ＩＳＤＮ−ＲＥＬ ＣＯＭＰメッセージの送受信のシーレンスが実施される。図２３に示すように、このシーケンスにおいて、ゲートウェイ１０９＃１，１０９＃２は、ＩＳＤＮメッセージを、信号チャネルのＨ３２３・Ｑ９３１のUser Informationメッセージの新規情報要素に設定して、送受信する。
【０１４０】
ゲートウェイ１０９＃２は、ＩＳＤＮ−ＲＥＬ ＣＯＭＰメッセージを受信ンすると、呼番号（ＣＲ１）を元に呼番号対応インターネット音声チャネル管理テーブル１１４を索引し、該当音声チャネルを解放する。ゲートウェイ１０９＃１−１０９＃２間の呼の解放は、ＩＳＤＮメッセージ手順により解放する。呼番号（ＣＲ２）の解放についても、上記と同様のシーケンスにて行われる。
【０１４１】
ＩＳＤＮメッセージ送受信用信号チャネルの解放は、ゲートウェイが終了時、インターネット発信回線決定テーブル１１２に登録されている全てのＩＳＤＮメッセージ送受信用信号チャネルに対してＨ３２３メッセージ手順により、解放処理を行う。
【０１４２】
第４実施形態
図２４は、本発明の第４実施形態によるゲートウェイの構成図であり、図１４中の構成要素と実質的に同一の構成要素には同一の符号を付している。又、本実施形態によるゲートウェイは、第１実施形態で使用した符号に対応させると、ゲートウェイ１００＃ｉをゲートウェイ１１９＃ｉとする。図２４のゲートウェイ１１９＃ｉは、ＰＢＸ４４＃ｉから受信したＩＳＤＮメッセージをＩＳＤＮメッセージ送受信用音声チャネルに設定することに関しては、図１４のゲートウェイと同じであるがＩＳＤＮメッセージ送受信用音声チャネルをゲートウェイ１１９＃ｉの立ち上げ時に開設すること、通話切断時に、通話用の音声チャネルのみを解放する点で、図１４のゲートウェイ１００＃ｉと異なる。
【０１４３】
（１）図２４中の呼制御部１２０は、ゲートウェイ１１９＃ｉが立ち上げられると、インターネットテレフォニー・ゲートウェイシステムを構成する他の全てのゲートウェイ１１９＃ｊ（ｊ≠ｉ）間で、インターネット回線制御部６０を制御して、信号チャネル、Ｈ２４５チャネル、ＩＳＤＮメッセージ送受信用音声チャネルを開設して、Ｈ３２３メッセージ手順により、接続中とする点で図１４中の呼制御部９０と異なる。
【０１４４】
（２）開設した信号チャネル番号、Ｈ２４５チャネル番号及びＩＳＤＮメッセージ送受信用音声チャネル番号をインターネット発信回線決定テーブル１２２に登録することが図１４中の呼制御部９０と異なる。
【０１４５】
（３）ゲートウェイ１０９＃ｊからＩＳＤＮ−ＳＥＴＵＰメッセージを受信すると、インターネット音声チャネルを開設して、通話用の音声チャネル番号のみを、呼番号対応インターネット音声チャネル管理テーブル１１４に登録することが図１４中の呼制御部９０と異なる。
【０１４６】
（４）通話用の音声チャネルのみを解放する点で図１４中の呼制御部９０と異なる。
【０１４７】
図２５は、図２４中のインターネット発信回線決定テーブル構成図である。図２５に示すように、インターネット発信回線決定テーブル１２２は、インターネット発信先ロジカルゲートウェイ番号をインデックスとする領域に、インターネット信号チャネル番号、インターネットＨ２４５チャネル番号及びインターネット音声チャネル番号が記憶される。
【０１４８】
以下、図２４のゲートウェイ１１９＃ｉの動作説明をする。
【０１４９】
ゲートウェイ１１９＃ｉにて、インターネットテレフォニー・ゲートウェイシステムを構成する全てのゲートウェイ１１９＃ｊ（ｊ≠ｉ）について、インターネット発信先ロジカルゲートウェイ番号及びインターネット発信先ＩＰアドレスを保守コンソールより入力して、インターネット接続情報テーブル８２に登録する。
【０１５０】
同様に、全ての他のゲートウェイ１１９＃ｊについて、収容するＰＢＸの発信特番及び発信先ロジカルゲートウェイ番号を保守コンソールより入力して、発信ゲートウェイ決定テーブル８０に登録する。
【０１５１】
ゲートウェイ１１９＃ｉは、発信ゲートウェイ決定テーブル８０及びインターネット接続情報テーブル８２に登録が済みシステムが立ち上がると、インターネット接続情報８２に登録されたＩＰアドレスを有するゲートウェイ１１９＃ｊとの間で、ＩＳＤＮメッセージ送受信のための信号チャネル（例えば、＝１）、Ｈ２４５チャネル及びＩＳＤＮメッセージ送受信用音声チャネルを開設し、Ｈ３２３・Ｑ９３１メッセージ手順により、接続中とする。
【０１５２】
インターネット発信回線決定テーブル１２２のゲートウェイ１１９＃ｊのインターネット発信先ロジカルゲートウェイ番号をインデックスとする領域に、インターネット信号チャネル番号、Ｈ２４５チャネル番号及び音声チャネル番号を登録する。
【０１５３】
図２６及び２７は、本発明の４実施形態によるメッセージシーケンスを示す図である。図２６に示すように、端末４２＃２１は、発信特番＋端末４２＃１１をダイヤル（７００＋１１）し、発信を行う。
【０１５４】
ＰＢＸ４４＃２は、ＩＳＤＮ−ＳＥＴＵＰメッセージをゲートウェイ１１９＃２に送信する。ゲートウェイ１１９＃２は、ＩＳＤＮ−ＳＥＴＵＰメッセージ情報の着番号情報要素の発信特番から、発信ゲートウェイ決定テーブル８０を索引し、該発信特番のＰＢＸ４４＃１を収容するゲートウェイ１１９＃１のインターネットロジカルゲートウェイ番号（＝１）を決定する。
【０１５５】
決定したインターネットロジカルゲートウェイ番号から、インターネット接続情報テーブル８２を索引し、ＩＰアドレスを決定する。さらに、決定したインターネットロジカルゲートウェイ番号から、インターネット発信回線決定テーブル１２２を索引し、ＩＳＤＮメッセージ送受信用音声チャネルを抽出する。
【０１５６】
ゲートウェイ１１９＃２は、抽出したＩＳＤＮメッセージ送受信用音声チャネルにＩＳＤＮ−ＳＥＴＵＰメッセージを設定して、ゲートウェイ１１９＃１に送信する。ゲートウェイ１１９＃１は、ＩＳＤＮメッセージ送受信用音声チャネルに設定されたＩＳＤＮ−ＳＥＴＵＰメッセージをＰＢＸ４４＃１に送信する。
【０１５７】
ＰＢＸ４４＃２は、内線４２＃１１が呼び出し／応答すると、ＩＳＤＮ−ＡＬＥＲＴ／ＣＯＮＮメッセージをゲートウェイ１１９＃１に送信する。ゲートウェイ１１９＃１は、ＩＳＤＮ−ＡＬＥＲＴ／ＣＯＮＮメッセージをＩＳＤＮメッセージ送受信用音声チャネルに設定して、ゲートウェイ１１９＃２に送信する。
【０１５８】
ゲートウェイ１１９＃２は、音声チャネルに設定されたＩＳＤＮ−ＡＬＥＲＴ／ＣＯＮＮメッセージを受信すると、ＩＳＤＮ−ＡＬＥＲＴ／ＣＯＮＮメッセージをＰＢＸ４４＃２に送信する。又、ＣＯＮＮメッセージを受信した場合は、通話用の音声チャネル（例えば、＝２）を開設し、ゲートウェイ１１９＃２−１１９＃１間の通話を可能とする。
【０１５９】
ゲートウェイト１１９＃２は、ＩＳＤＮメッセージの呼番号（ＣＲ１）をインデックスとした呼番号対応インターネット音声チャネル管理テーブル１１４の領域に、通話用の音声チャネル番号を記憶する。これにより、ＰＢＸ４４＃２から発信される毎に、信号チャネルを開設するのではないのでシーケンスが簡単になり、１つのＩＳＤＮメッセージ送受信用音声チャネルで複数の音声チャネルを管理することができる。
【０１６０】
端末４２＃１１が端末４２＃２２に転送するために、転送釦押下して、転送先（７００＋２２）をダイヤルしたときも、ゲートウェイ１１９＃１が開設したＩＳＤＮメッセージ送受信用音声チャネルにＩＳＤＮメッセージを設定して、送受信することにより、端末４２＃１１−４２＃２２の音声チャネルを開設して、呼番号（ＣＲ２）をインデックスとする呼番号対応音声チャネル管理テーブル１１４の領域に、開設した音声チャネル番号を記憶する。
【０１６１】
端末４４＃１１が切断すると、ＰＢＸ４４＃１と４４＃２間で、ＩＳＤＮ−ＦＡＣＩＬＩＴＹ（転送先通知）メッセージ、ＩＳＤＮ−ＦＡＣＩＬＩＴＹ  ＡＣＫメッセージ、ＩＳＤＮ−ＦＡＣＩＬＩＴＹ（最適化要求）メッセージ、ＩＳＤＮ−ＦＡＣＩＬＩＴＹ  ＡＣＫメッセージの送受信のシーケンスが実施される。
【０１６２】
このシーケンスにおいて、ゲートウェイ１１９＃１，１１９＃２は、ＩＳＤＮメッセージを、ＩＳＤＮメッセージ送受信用音声チャネルに設定して、送受信する。ＰＢＸ４４＃２は、ＩＳＤＮ−ＦＡＣＩＬＩＴＹ（最適化要求）メッセージを受信すると、既存パス接続の最適化処理にて、パスを張り替える。
【０１６３】
ＰＢＸ４４＃１と４４＃２間で、ＩＳＤＮ−ＤＩＳＣメッセージ、ＩＳＤＮ−ＲＥＬメッセージ、ＩＳＤＮ−ＲＥＬ ＣＯＭＰメッセージの送受信のシーケンスが実施される。図２７に示すように、このシーケンスにおいて、ゲートウェイ１１９＃１，１１９＃２は、ＩＳＤＮメッセージを、ＩＳＤＮメッセージ送受信用音声チャネルに設定して、送受信する。
【０１６４】
ゲートウェイ１１９＃１，１１９＃２は、ＩＳＤＮ−ＲＥＬ ＣＯＭＰメッセージを受信すると、呼番号（ＣＲ１）を元に呼番号対応インターネット音声チャネル管理テーブル１１４を索引し、該当音声チャネルを解放する。
【０１６５】
ゲートウェイ１１９＃１−１１９＃２間の呼の解放は、ＩＳＤＮメッセージ手順により解放する。呼番号（ＣＲ２）の解放についても、上記と同様のシーケンスにて行われる。
【０１６６】
信号チャネル、Ｈ２４５チャネル及び音声チャネルの解放は、ゲートウェイが終了時、インターネット発信回線決定テーブル１２２に登録されている全てのＩＳＤＮメッセージ送受信用信号チャネルに対してＨ３２３メッセージ手順により、解放処理を行う。
【０１６７】
第５実施形態
図２８は、本発明の実施形態によるゲートウェイの構成図である。第５実施形態では、第１，２，３，４実施形態又は、該機能を有さないゲートウェイ（第１，２，３，４実施形態以外のゲートウェイ）がインターネットテレフォニー・ゲートウェイシステムに混在する場合を想定している。
【０１６８】
呼制御１３０は、ＰＢＸ４２＃ｉからＩＳＤＮ−ＳＥＴＵＰメッセージを受信すると、着信先のゲートウェイの種類により、制御する。例えば、着信先ゲートウェイが第１実施形態のゲートウェイであれば、第１実施形態の制御によるゲートウェイ制御を行う。つまり、各々の着信先ゲートウェイの実施形態によるゲートウェイ制御を行う。又、着信先ゲートウェイが該機能を有さないゲートウェイであれば、Ｈ３２３プロトコル手順による既存のゲートウェイ制御を行う。
【０１６９】
図２９は、図２８中のインターネットＩＳＤＮ制御可否テーブル構成図である。図２９に示すように、インターネットＩＳＤＮ制御可否テーブル１３２には、各ゲートウェイについて、そのインターネットロジカルゲートウェイ番号をインデックスした領域に、ＩＳＤＮ制御信号可否フラグが設定されている。
【０１７０】
ＩＳＤＮ制御可否フラグには、該ロジカルゲートウェイ番号の種類により、フラグが設定される。例えば、発信先ゲートウェイが第１実施形態を持つゲートウェイであれば該ゲートウェイ対応のＩＳＤＮ制御可否フラグに１を設定する。第２、第３、第４のゲートウェイに関しては、それぞれ、２，３，４の値が設定される。また、第１，２，３，４実施形態を持たないゲートウェイであれば、０の値が設定される。但し、本ゲートウェイが設定されるＩＳＤＮ制御可否フラグ対応の実施形態を持っていない場合は、０の値が設定される。
【０１７１】
以下、第２９のゲートウェイの動作説明をする。
【０１７２】
各ゲートウェイの情報設定に関しては、前記実施形態と同様である。又、ＩＳＤＮ制御可否テーブルに関しては、インターネットテレフォニー・ゲートウェイシステムを構成する全ての他のゲートウェイについて、インターネット発信先ロジカルゲートウェイ番号及びＩＳＤＮ制御可否フラグを保守コンソールより入力して、インターネットＩＳＤＮ制御可否テーブル１３２に登録する。
【０１７３】
端末からインターネット発信特番＋着信端末の番号をダイヤルし、インターネット発信を行う。ゲートウェイがＩＳＤＮ−ＳＥＴＵＰメッセージを受信すると、ＳＥＴＵＰメッセージの着信番号情報要素から、発信ゲートウェイ決定テーブル８０を索引し、発信ゲートウェイロジカル番号を決定する。
【０１７４】
決定したロジカルゲートウェイ番号を元に、ＩＳＤＮ制御可否テーブル１３２を索引し、ＩＳＤＮ制御フラグを抽出する。抽出したＩＳＤＮ制御可否フラグの値により、処理を行う。例えば、１であれば、実施形態１による制御を実施する。各々２，３，４に対しても、実施形態２，３，４の制御を実施する。又、値が０の場合であれば，Ｈ３２３プロトコル手順による既存のゲートウェイ制御を実施する。
【０１７５】
【発明の効果】
以上説明したように、本発明によれば、インターネット網を経由した転送時に効果的なパス接続ができ、インターネット回線の有効利用及び無駄なＣＯＤＥＣ制御を行わないため、音質又は処理能力の向上に寄与することが大きい。
【図面の簡単な説明】
【図１】本発明の原理図である。
【図２】本発明の実施形態のインターネットテレフォニー・ゲートウェイシステム構成図である。
【図３】ゲートウェイとＩＰアドレス等の関連図である。
【図４】ゲートウェイ間の接続構成図である。
【図５】本発明の第１実施形態によるゲートウェイ構成図である。
【図６】Ｈ３２３ユーザインフォメーションメッセージ情報要素を示す図である。
【図７】第１実施形態によるＨ３２３チャネルを示す図である。
【図８】図５中の発信ゲートウェイ決定テーブル構成図である。
【図９】図５中のインターネット接続情報テーブル構成図である。
【図１０】図５中のインターネット通話チャネル管理テーブル構成図である。
【図１１】本発明の第１実施形態によるメッセージシーケンスを示す図である。
【図１２】本発明の第１実施形態によるメッセージシーケンスを示す図である。
【図１３】本発明の第１実施形態によるインターネット網転送サービス時のパス接続を示す図である。
【図１４】本発明の第２実施形態によるゲートウェイ構成図である。
【図１５】図１４中のインターネット通話チャネル管理テーブル構成図である。
【図１６】本発明の第２実施形態によるＨ３２３チャネルを示す図である。
【図１７】本発明の第２実施形態によるメッセージシーケンスを示す図である。
【図１８】本発明の第２実施形態によるメッセージシーケンスを示す図である。
【図１９】本発明の第３実施形態によるゲートウェイ構成図である。
【図２０】図１９中のインターネット発信回線決定テーブル構成図である。
【図２１】図１９中の呼番号対応インターネット音声チャネル管理テーブル構成図である。
【図２２】本発明の第３実施形態によるメッセージシーケンスを示す図である。
【図２３】本発明の第３実施形態によるメッセージシーケンスを示す図である。
【図２４】本発明の第４実施形態によるゲートウェイ構成図である。
【図２５】図２４中のインターネット発信回線決定テーブル構成図である。
【図２６】本発明の第４実施形態によるメッセージシーケンスを示す図である。
【図２７】本発明の第４実施形態によるメッセージシーケンスを示す図である。
【図２８】本発明の第５実施形態によるゲートウェイ構成図である。
【図２９】図２８中のインターネットＩＳＤＮ制御可否テーブル構成図である。
【図３０】従来の問題点を示す図である。
【符号の説明】
１２＃ｉ（ｉ＝１〜Ｎ）  端末
１４  電話交換機
１６  インターネット
１８  ゲートウェイ
２２  呼設定手段
２４  第１メッセージ送信手段
２６  第２メッセージ送信手段
２８  音声チャネル開設手段
３０  チャネル解放手段
【図１】
0003664909.tif 000002
【図２】
0003664909.tif 000003
【図３】
0003664909.tif 000004
【図４】
0003664909.tif 000005
【図５】
0003664909.tif 000006
【図６】
0003664909.tif 000007
【図７】
0003664909.tif 000008
【図８】
0003664909.tif 000009
【図９】
0003664909.tif 000010
【図１０】
0003664909.tif 000011
【図１１】
0003664909.tif 000012
【図１２】
0003664909.tif 000013
【図１３】
0003664909.tif 000014
【図１４】
0003664909.tif 000015
【図１５】
0003664909.tif 000016
【図１６】
0003664909.tif 000017
【図１７】
0003664909.tif 000018
【図１８】
0003664909.tif 000019
【図１９】
0003664909.tif 000020
【図２０】
0003664909.tif 000021
【図２１】
0003664909.tif 000022
【図２２】
0003664909.tif 000023
【図２３】
0003664909.tif 000024
【図２４】
0003664909.tif 000025
【図２５】
0003664909.tif 000026
【図２６】
0003664909.tif 000027
【図２７】
0003664909.tif 000028
【図２８】
0003664909.tif 000029
【図２９】
0003664909.tif 000030
【図３０】
0003664909.tif 000031